(57)【要約】【課題】LTEモバイル通信システムのハンドオーバ最適化過程において、端末を正確かつ一意に識別することに用いられる、端末を識別するための方法及びシステムを提供すること。【解決手段】  本発明は、端末を識別するための方法及びシステムを提供する。無線リソース制御再構成メッセージを受信したソース基地局は、当該メッセージにおける無線リンク障害が発生したセルの物理アドレスに応じて、無線リンク障害情報を送信する必要がある全てのターゲット基地局を判定し、判定された各ターゲット基地局に、前記無線リンク障害情報を送信する。ターゲット基地局は、無線リンク障害情報を受信した後、無線リンク障害が発生したセルの物理アドレスに応じて、当該ターゲット基地局において無線リンク障害が発生したセルを判定し、判定された各セルにおいて、無線リンク障害が発生したセルの端末の無線ネットワーク一時識別子が当該セルにおける既存の無線ネットワーク一時識別子に属するかどうかを判定し、属する場合、前記端末が当該セルの端末であると判定し、属しない場合、前記端末が当該セルの端末ではないと判定する。本発明は、端末を正確かつ一意に識別することができる。【選択図】図４
2013504902.tif 000002
【特許請求の範囲】
【請求項１】
端末を識別するための方法であって、
無線リソース制御再構成メッセージを受信したソース基地局が、前記無線リソース制御再構成メッセージにおける、無線リンク障害が発生したセルの物理アドレスに応じて、無線リンク障害情報を送信する必要がある全てのターゲット基地局を判定し、判定された各ターゲット基地局に、無線リンク障害が発生したセルの物理アドレス、無線リソース制御再構成を試みるセルのセルグローバル識別子、及び無線リンク障害が発生したセルの端末の無線ネットワーク一時識別子を含む前記無線リンク障害情報を送信するステップ１１と、
ターゲット基地局が、前記無線リンク障害情報を受信した後、前記無線リンク障害が発生したセルの物理アドレスに応じて、当該ターゲット基地局における無線リンク障害が発生したセルを判定し、判定されたセルにおいて、受信された、無線リンク障害が発生したセル内の端末の無線ネットワーク一時識別子が、当該セルにおける既存の無線ネットワーク一時識別子に属するかどうかを判定し、属する場合、前記端末が当該セルの端末であると判定され、属しない場合、前記端末が当該セルの端末ではないと判定されるステップ１２とを含み、
前記ソース基地局は、無線リソース制御再構成メッセージを受信した基地局であり、前記ターゲット基地局は、無線リンク障害が発生したセルが所属する基地局である
端末を識別するための方法。
【請求項２】
前記ステップ１１の前に、
無線リンク障害が発生した端末が、セル選択プロセスによって選択されたソース基地局に、無線リンク障害が発生したセルの端末の無線ネットワーク一時識別子と、ショートMAC完全性保護と、無線リンク障害が発生したセルの物理アドレスとを含む無線リソース制御再構成メッセージを送信するステップを更に含む
請求項１に記載の端末を識別するための方法。
【請求項３】
前記方法は、
ターゲット基地局が、端末が当該ターゲット基地局において無線リンク障害が発生したセルに属する端末であると判定した後、当該端末の前回のハンドオーバ情報に応じて、前回のハンドオーバに対応するセル間のハンドオーバシチュエーションのタイプを判定し、そして判定結果を前回のハンドオーバに対応する基地局に通知するステップ１３と、
判定結果の通知を受信した基地局が、前記前回のハンドオーバに対応するセル間のハンドオーバシチュエーションの判定に応じて、ハンドオーバパラメータの最適化を自動的に行うステップ１４とを更に含む
請求項1又は２に記載の端末を識別するための方法。
【請求項４】
端末の識別をサポートする基地局であって、前記基地局は、
ソース基地局として、端末から無線リソース制御再構成メッセージを受信し、前記無線リソース制御再構成メッセージにおける、無線リンク障害が発生したセルの物理アドレスに応じて、無線リンク障害情報を送信する必要がある全てのターゲット基地局を判定し、判定された各ターゲット基地局に、無線リンク障害が発生したセルの物理アドレス、無線リソース制御再構成を試みるセルのセルグローバル識別子、及び無線リンク障害が発生したセルの端末の無線ネットワーク一時識別子を含む前記無線リンク障害情報を送信し、
前記基地局は、さらに、
前記基地局に属するセルで無線リンク障害が発生した場合、ターゲット基地局として、無線リンク障害情報を受信し、前記無線リンク障害情報における、無線リンク障害が発生したセルの物理アドレスに応じて、無線リンク障害が発生したセルを判定し、判定された各セルにおいて、受信された、無線リンク障害が発生したセルの端末の無線ネットワーク一時識別子が、当該セルにおける既存の無線ネットワーク一時識別子に属するかどうかを判定し、属する場合、当該端末が当該セルの端末であると判定し、属しない場合、当該セルの端末ではないと判定する
端末の識別をサポートする基地局。
【請求項５】
前記基地局は、さらに、
ターゲット基地局として、前記端末が当該ターゲット基地局において無線リンク障害が発生したセルに属する端末であると判定した後、当該端末の前回のハンドオーバ情報に応じて、前記前回のハンドオーバに対応するセル間のハンドオーバシチュエーションのタイプを判定し、そして判定結果を前回のハンドオーバに対応する基地局に通知し、判定結果の通知を受信した基地局が、前記前回のハンドオーバに対応するセル間のハンドオーバシチュエーションの判定に応じて、ハンドオーバパラメータの最適化を自動的に行う
請求項４に記載の基地局。
【請求項６】
端末を識別するためのシステムであって、
前記システムは、端末と請求項４又は５に記載の基地局とを含み、
前記基地局は、複数であり、ソース基地局と１又は複数のターゲット基地局とを含み、
前記端末は、
無線リンク障害が発生した後、セル選択プロセスによって選択されたソース基地局に、無線リンク障害が発生したセルの端末の無線ネットワーク一時識別子と、ショートMAC完全性保護と、無線リンク障害が発生したセルの物理アドレスとを含む無線リソース制御再構成メッセージを送信する
端末を識別するためのシステム。
【請求項７】
端末を識別するための方法であって、前記方法は、
無線リソース制御再構成メッセージを受信したソース基地局が、前記無線リソース制御再構成メッセージにおける無線リンク障害が発生したセルの物理アドレスに応じて、無線リンク障害情報を送信する必要がある全てのターゲット基地局を判定し、判定された各ターゲット基地局に、無線リンク障害が発生したセルの物理アドレス、無線リソース制御再構成を試みるセルのセルグローバル識別子、無線リンク障害が発生したセルの端末の無線ネットワーク一時識別子、及びショートMAC完全性保護を含む前記無線リンク障害情報を送信するステップ２１と、
ターゲット基地局が、前記無線リンク障害情報を受信した後、前記無線リンク障害が発生したセルの物理アドレスに応じて、前記ターゲット基地局において無線リンク障害が発生したセルを判定し、判定された各セルにおいて、前記無線リンク障害が発生したセルの物理アドレス、無線リソース制御再構成を試みるセルのセルグローバル識別子、及び無線リンク障害が発生したセルの端末の無線ネットワーク一時識別子に応じて、ショートMAC完全性保護の計算値を計算して取得し、当該計算値が受信されたショートMAC完全性保護に一致する場合、当該端末が当該セルの端末であると判定され、一致しない場合、当該セルの端末ではないと判定されるステップ２２とを含み、
前記ソース基地局は、無線リソース制御再構成メッセージを受信した基地局であり、前記ターゲット基地局は、無線リンク障害が発生したセルが所属する基地局である
端末を識別するための方法。
【請求項８】
ショートMAC完全性保護の計算値を計算して取得するステップの前に、
前記方法は、
判定された各セルにおいて、受信された、無線リンク障害が発生したセルの端末の無線ネットワーク一時識別子が、当該セルにおける既存の無線ネットワーク一時識別子に属するかどうかを判定し、属する場合、前記ショートMAC完全性保護の計算値を計算して取得するステップを実行し、属しない場合、前記端末が当該セルの端末ではないと判定するステップを更に含む
請求項７に記載の端末を識別するための方法。
【請求項９】
前記ステップ２１の前に、
前記方法は、
無線リンク障害が発生した端末が、セル選択プロセスによって選択されたソース基地局に、無線リンク障害が発生したセルの端末の無線ネットワーク一時識別子と、ショートMAC完全性保護と、無線リンク障害が発生したセルの物理アドレスとを含む無線リソース制御再構成メッセージを送信するステップを更に含む
請求項７に記載の端末を識別するための方法。
【請求項１０】
前記方法は、
ターゲット基地局が、端末が当該ターゲット基地局において無線リンク障害が発生したセルに属する端末であると判定した後、当該端末の前回のハンドオーバ情報に応じて、前記前回のハンドオーバに対応するセル間のハンドオーバシチュエーションのタイプを判定し、そして判定結果を前回のハンドオーバに対応する基地局に通知するステップ２３と、
判定結果の通知を受信した基地局が、前記前回のハンドオーバに対応するセル間のハンドオーバシュチュエーションの判定に応じて、ハンドオーバパラメータの最適化を自動的に行うステップ２４とを更に含む
請求項７〜９のいずれか１項に記載の端末を識別するための方法。
【請求項１１】
１つのショートMAC完全性保護の計算値を計算して取得するステップにおいて、
前記ターゲット基地局は、
確定されたセルにおける無線ネットワーク一時識別子に応じて、暗号鍵及び完全性保護アルゴリズムを決定し、前記無線リンク障害情報における無線リンク障害が発生したセルの物理アドレス、無線リソース制御再構成を試みるセルのセルグローバル識別子、無線リンク障害が発生したセルの端末の無線ネットワーク一時識別子を入力し、１つのショートMAC完全性保護の計算値を計算して取得することを特徴とする
請求項７〜９のいずれか１項に記載の端末を識別するための方法。
【請求項１２】
端末の識別をサポートする基地局であって、前記基地局は、
ソース基地局として、無線リソース制御再構成メッセージを受信した後、前記無線リソース制御再構成メッセージにおける、無線リンク障害が発生したセルの物理アドレスに応じて、無線リンク障害情報を送信する必要がある全てのターゲット基地局を判定し、判定された各ターゲット基地局に、無線リンク障害が発生したセルの物理アドレス、無線リソース制御再構成を試みるセルのセルグローバル識別子、無線リンク障害が発生したセルの端末の無線ネットワーク一時識別子、及びショートMAC完全性保護を含む前記無線リンク障害情報を送信し、
前記基地局は、さらに、
前記基地局に属するセルで無線リンク障害が発生した場合、ターゲット基地局として、無線リンク障害情報を受信し、前記無線リンク障害情報における、無線リンク障害が発生したセルの物理アドレスに応じて、当該基地局において無線リンク障害が発生したセルを判定し、判定された各セルにおいて、無線リンク障害が発生した前記セルの物理アドレス、無線リソース制御再構成を試みるセルのセルグローバル識別子、及び無線リンク障害が発生したセルの端末の無線ネットワーク一時識別子に応じて、ショートMAC完全性保護の計算値を計算して取得し、取得された計算値が受信されたショートMAC完全性保護に一致する場合、前記端末が当該セルの端末であると判定し、一致しない場合、前記端末が当該セルの端末ではないと判定する
端末の識別をサポートする基地局。
【請求項１３】
前記基地局は、さらに、
ターゲット基地局として、判定された各セルにおいて、受信された、無線リンク障害が発生したセルの端末の無線ネットワーク一時識別子が当該セルにおける既存の無線ネットワーク一時識別子に属するかどうかを判定し、属する場合、ショートMAC完全性保護の計算値を計算して取得し、属しない場合、前記端末が当該セルの端末ではないと判定する
請求項１２に記載の基地局。
【請求項１４】
前記基地局は、さらに、
ターゲット基地局として、前記端末が当該ターゲット基地局において無線リンク障害が発生したセルに属する端末であると判定した後、当該端末の前回のハンドオーバ情報に応じて、前記前回のハンドオーバに対応するセル間のハンドオーバシチュエーションのタイプを判定し、且つ判定結果を前回のハンドオーバに対応する基地局に通知し、判定結果の通知を受信した基地局が、前記前回のハンドオーバに対応するセル間のハンドオーバシチュエーションの判定に応じて、ハンドオーバパラメータの最適化を自動的に行う
請求項１２又は１３に記載の基地局。
【請求項１５】
端末を識別するためのシステムであって、
前記システムは、端末と請求項１２〜１４のいずれか１項に記載の基地局とを含み、
前記基地局は、複数であり、ソース基地局と１又は複数のターゲット基地局とを含み、
前記端末は、
無線リンク障害が発生した後、セル選択プロセスによって選択されたソース基地局に、無線リンク障害が発生したセルの端末の無線ネットワーク一時識別子と、ショートMAC完全性保護と、無線リンク障害が発生したセルの物理アドレスとを含む無線リソース制御再構成情報を送信する
端末を識別するためのシステム。
【発明の詳細な説明】
【技術分野】
【０００１】
本発明は、セルラ無線通信システムに関し、特に、ロングタームエボリューション（LTE)モバイル通信システムにおいてハンドオーバ最適化の過程で端末を識別するための方法及びシステムに関する。
【背景技術】
【０００２】
ロングタームエボリューション（LTE：Long Term Evolution）ネットワークは、発展型ユニバーサル地上無線アクセスネットワーク (Evolved Universal Terrestrial Radio Access Network：E-UTRAN)基地局（eNB：Evolved NodeB）及び発展型パケットコア(EPC：Evolved Packet Core）から構成され、このネットワークはフラット構造とされる。E-UTRANは、Ｓ１インターフェイスを介してEPCに接続された基地局eNBの集合を含み、eNBはＸ２インターフェイスを介して互いに接続される。Ｓ１及びＸ２インターフェイスは、論理インターフェイスである。１つのEPCは、１又は複数のeNBを管理することができ、１つのeNBは、複数のEPCによって制御することができ、１つのeNBは、１又は複数のセルを管理することができる。
【０００３】
自己組織型ネットワーク（SON：Self-Organizing Network）技術は、ネットワークの構成及びネットワークの最適化を自動化する技術である。当該技術の特徴は、自己構成及び自己最適化であり、当該技術がLTEシステムに適用されることで、LTE基地局（eNB）は、所定の測定に応じて、ネットワークパラメータを自動的に構成することができ、また、ネットワークの変化に応じて、自動的に最適化を行うことができる。これによって、最適なネットワークの性能が維持されるとともに、多くの人的資源及び物的資源が節約される。
【０００４】
LTEシステムのハンドオーバパラメータの自己最適化に関しては、ネットワークの性能を向上させるために、ネットワークの実行状態、及びハンドオーバ関連の測定に応じて、所定のアルゴリズムに従って、セル再選択及びハンドオーバの関連パラメータを最適化する必要がある。このハンドオーバとは、LTEシステム内部のハンドオーバ及びシステム間のハンドオーバを指す。
【０００５】
（１）システム間のハンドオーバは、ユニバーサル地上無線アクセスネットワーク（UTRAN： Universal Terrestrial Radio Access Network）、グローバルモバイル通信システム（ GSM：Global System For Mobile Communication）又は符号分割多重接続（CDMA：Code Division Multiple Access）システムへのハンドオーバである。
【０００６】
（２）ネットワークにおける端末のハンドオーバ過程、即ちシステム内部のハンドオーバは、ネットワーク側が、端末によって報告された在圏セルと隣接セルとの信号品質に応じて、所定のハンドオーバアルゴリズムに基づいてハンドオーバポリシーを決め、その後、ハンドオーバポリシーに応じて、具体的なハンドオーバのプロセスを実行することを端末に通知することを指す。
【０００７】
ハンドオーバにおける、不適切なハンドオーバパラメータの設定は、ピンポンハンドオーバ、ハンドオーバ障害及び無線リンク障害（RLF：Radio Link Failure）を引き起こす。これらは望ましくないハンドオーバであり、ユーザの体験に悪影響を与え、且つネットワークリソースを浪費してしまう。従って、ハンドオーバパラメータの自己最適化にでは、ハンドオーバ障害又は望ましくないハンドオーバシチュエーションの正確な判定が、ハンドオーバパラメータの調整の基礎となっている。
【０００８】
無線リンク信号が非常に悪い状況下では、ユーザ装置UE（User Equipment）に無線リンク障害（RLF：Radio Link Failure）が発生し、この場合、UEは、無線リソース制御（RRC：Radio Resource Control）の再構成を行う。UEは、RRC再構成を行う場合、セル選択プロセスによってターゲットセルを取得する。ハンドオーバプロセスにおいてハンドオーバ障害が発生した場合、ソース基地局又はターゲット基地局は、ユーザの情報を保持してRRC再構成に用いる。
【０００９】
UEは、UEのセル無線ネットワーク一時識別子（C-RNTI：Cell Radio Network Temporary Identifier）、ショートMAC完全性保護（shortMAC-I：short Medium Access Control integrity protection）及び物理セルアドレス（PCI：Physical Cell Identity）を含む端末識別子（UE-Identity）を、RRC再構成の要求メッセージに含ませる。
【００１０】
＊C-RNTIは、ソースセルによって割り当てられるか（ハンドオーバ障害の場合）、又はRRC再構成をトリガーするセルにおいて割り当てられる（その他の場合）。
【００１１】
＊PCIは、ソースセルの物理アドレスであるか（ハンドオーバ障害の場合）、又はRRC再構成をトリガーするセルの物理アドレス（その他の場合）である。
【００１２】
＊ショートMAC完全性保護（shortMAC-I）は、ソースセルのKRRCint key（ハンドオーバ障害の場合）又はRRC再構成をトリガーするセルのKRRCint keyと、完全性保護アルゴリズムとを用いて計算され、PCI、C-RNTI及び発展型セルグローバル識別子（ECGI：Evolved Cell Global Identifier）が入力される。ここで、PCI、及びC-RNTIは、前記RRC再構成メッセージに含まれたものであり、ECGIは、RRC再構成時にUEによって選択されたターゲットセルのECGIである。
【００１３】
以下に示すものは、従来のハンドオーバにおける、３つのタイプの典型的な望ましくないハンドオーバシチュエーションである。
【００１４】
第１の類型：ハンドオーバが遅すぎるシチュエーションである。図１に示すように、基地局BにおけるセルCell bにおいて、端末（UE）に無線リンク障害（RLF）が発生し、その後、UEが基地局AにおけるセルCell aにおいて、無線リソース制御（RRC）の再構成を試みる。これは、セルCell bからセルCell aへのUEのハンドオーバが遅すぎることを意味する。
【００１５】
第２の類型：ハンドオーバが早すぎるシチュエーションである。図２に示すように、端末UEが基地局AにおけるセルCell aから基地局BにおけるセルCell bにハンドオーバした直後に、セルCell bにおいて無線リンク障害（RLF）が発生し、その後、UEが基地局AにおけるセルCell aを選択して無線リソース制御（RRC）の再構成を行う。即ち、UEがハンドオーバ前のセルCell aに戻ってRRC再構成を行う。これは、セルCell aからセルCell bへのUEのハンドオーバが早すぎることを意味する。
【００１６】
第３の類型：ハンドオーバにおいてエラーセルが選択されるシチュエーションである。図３に示すように、端末UEが基地局CにおけるセルCell cから基地局BにおけるセルCell bにハンドオーバした直後に、無線リンク障害（RLF）が発生し、その後、UEが基地局AにおけるセルCell aにおいて無線リソース制御（RRC）の再構成を行う。これは、ハンドオーバの前に選択された基地局BにおけるセルCell bがエラーターゲットセルであり、正確なターゲットセルが基地局AにおけるセルCell aであることを意味する。つまり、UEが基地局CにおけるセルCell cから基地局AにおけるセルCell aへのハンドオーバを直接行うべきであることを意味する。
【００１７】
前記３つのタイプの典型的な望ましくないハンドオーバシチュエーションについて、望ましくないハンドオーバのタイプをどのようにして判定するかは、重要な問題である。従来の判定方法は、以下のステップを含む。
【００１８】
ステップ１：基地局（eNB）Aは、RLFの情報を基地局（eNB）Bに通知する。
【００１９】
ここで、RLFの情報は、RLFが発生したセルの物理セルアドレス（PCI）と、RRC再構成を試みるセルのPCI又は発展型セルグローバル識別子（ECGI：Evolved Cell Global Identifier）と、RLFが発生したセルにおけるUEのC-RNTIとを含む。RLFが発生したセルの物理セルアドレス及びRLFが発生したセルにおけるUEのC-RNTI情報は、eNB Aによって受信されたUEのRRC再構成情報から取得される。
【００２０】
ステップ２：基地局（eNB）Bは、RLFの情報を受信し、RLF情報内に含まれるUEのコンテキスト情報、即ちPCI及びC-RNTI情報に応じて、判定を行う。
【００２１】
＊図２に示すように、UEが基地局AにおけるセルCell aからハンドオーバした直後である場合、基地局Bは、セルCell aからセルCell bへのこのUEのハンドオーバが早すぎると判定し、そして判定結果をeNB Aに通知する。
【００２２】
＊図３に示すように、UEが基地局CにおけるセルCell cからハンドオーバした直後である場合、基地局Bは、セルCell ｃからセルCell bへのUEのハンドオーバのターゲットセル選択がエラーであり、正確なターゲットセルがセルCell aであると判定し、そして判定結果をeNB Cに通知する。
【００２３】
＊その他の場合、図１に示すように、eNB Bは、セルCell ｂからセルCell aへのUEのハンドオーバが遅過ぎると判定する。
【００２４】
現在、このようなハンドオーバシチュエーションの判定方法には、以下のような問題が存在している。すなわち、基地局Aが、UEからの無線リソース制御（RRC）再構成メッセージにおけるPCI情報に応じて、無線リンク障害（RLF）が発生したUEのセルと、当該セルが所属する基地局とを判定するため、PCIの混同が存在する場合、即ち２つのセルのPCIが同じ場合、基地局Aは、RLFを送信するとき、RLFが発生したエラーセルを特定し、エラーターゲット基地局を選択してRLF情報を送信してしまう可能性がある。即ち、RRC再構成メッセージにおけるPCI情報のみによって、RLFが発生したセルCell b及び基地局eNB Bを一意に識別することができない。これにより、ハンドオーバパラメータの不正確な最適化が確実に引き起こされ、ハンドオーバパラメータ自己最適化の機能が低減してしまう。
【００２５】
従って、前記PCIの混同によるRLFのエラー送信が引き起こされる可能性があるという問題を避けるために、端末を更に識別できるようにする必要がある。端末は一意であるので、仮に端末を一意に識別することができれば、端末が位置するセル、即ちRLFが発生した一意のセルを正確に判定することができ、これにより、ハンドオーバパラメータ最適化の正確度を向上させ、自己最適化機能を強化することができる。従って、ハンドオーバが行われる場合に、端末をどのようにして識別するかが、解決すべき課題である。
【発明の概要】
【発明が解決しようとする課題】
【００２６】
従来の技術的問題を解決するため、本発明は、ロングタームエボリューション（LTE）モバイル通信システムのハンドオーバ最適化過程において、端末を正確かつ一意に識別することに用いられる、端末を識別するための方法及びシステムを提供する。
【課題を解決するための手段】
【００２７】
上記問題を解決するため、本発明に係る端末を識別するための方法は、以下のステップを含む。
ステップ１１において、無線リソース制御再構成メッセージを受信したソース基地局は、前記無線リソース制御再構成メッセージにおける、無線リンク障害が発生したセルの物理アドレスに応じて、無線リンク障害情報を送信する必要がある全てのターゲット基地局を判定し、判定された各ターゲット基地局に、無線リンク障害が発生したセルの物理アドレス、無線リソース制御再構成を試みるセルのセルグローバル識別子、及び無線リンク障害が発生した端末のセルの無線ネットワーク一時識別子を含む前記無線リンク障害情報を送信する。
ステップ１２において、前記ターゲット基地局は、前記無線リンク障害情報を受信した後、前記無線リンク障害が発生したセルの物理アドレスに応じて、セルを判定し、判定された各セルにおいて、受信された、無線リンク障害が発生したセル内の端末の無線ネットワーク一時識別子が、当該セルにおける既存の無線ネットワーク一時識別子に属するかどうかを判定し、属する場合、当該端末が前記ターゲット基地局において、当該無線リンク障害が発生したセルの端末であると判定し、属しない場合、当該セルの端末ではないと判定する。
前記ソース基地局は、無線リソース制御再構成メッセージを受信した基地局であり、前記ターゲット基地局は、無線リンク障害が発生したセルが所属する基地局である。
【００２８】
前記ステップ１１の前に、当該方法は、無線リンク障害が発生した端末が、セル選択プロセスによって選択されたソース基地局に、無線リンク障害が発生したセルの端末の無線ネットワーク一時識別子と、ショートMAC完全性保護と、無線リンク障害が発生したセルの物理アドレスとを含む無線リソース制御再構成メッセージを送信するステップを更に含んでいてもよい。
【００２９】
前記方法は、以下のステップを更に含んでいてもよい。
ステップ１３において、前記ターゲット基地局は、前記端末が当該ターゲット基地局において無線リンク障害が発生したセルに属する端末であると判定した後、当該端末の前回のハンドオーバ情報に応じて、前記ハンドオーバに対応するセル間のハンドオーバシチュエーションのタイプを判定し、そして判定結果を前回のハンドオーバに対応する基地局に通知する。
ステップ１４において、判定結果の通知を受信した基地局は、前回のハンドオーバに対応するセル間のハンドオーバシチュエーションの判定に応じて、ハンドオーバパラメータの最適化を自動的に行う。
【００３０】
本発明に係る端末の識別をサポートする基地局は、ソース基地局として、端末から無線リソース制御再構成メッセージを受信し、前記無線リソース制御再構成メッセージにおける無線リンク障害が発生したセルの物理アドレスに応じて、無線リンク障害情報を送信する必要がある全てのターゲット基地局を判定し、判定された各ターゲット基地局に、無線リンク障害が発生したセルの物理アドレス、無線リソース制御再構成を試みるセルのセルグローバル識別子、及び無線リンク障害が発生したセルの端末の無線ネットワーク一時識別子を含む前記無線リンク障害情報を送信する。
前記基地局は、前記基地局に属するセルで無線リンク障害が発生した場合、ターゲット基地局として、無線リンク障害情報を受信し、前記無線リンク障害情報における無線リンク障害が発生したセルの物理アドレスに応じて、無線リンク障害が発生したセルを判定し、判定された各セルにおいて、受信された、無線リンク障害が発生したセルの端末の無線ネットワーク一時識別子が当該セルにおける既存の無線ネットワーク一時識別子に属するかどうかを判定し、属する場合、前記端末が当該セルの端末であると判定し、属しない場合、前記端末が当該セルの端末ではないと判定する。
【００３１】
本発明係る基地局は、さらに、ターゲット基地局として、端末が当該ターゲット基地局において無線リンク障害が発生したセルに属する端末であると判定した後、当該端末の前回のハンドオーバ情報に応じて、前記前回のハンドオーバに対応するセル間のハンドオーバシチュエーションのタイプを判定し、そして判定結果を前回のハンドオーバに対応する基地局に通知し、判定結果の通知を受信した基地局は、前記前回のハンドオーバに対応するセル間のハンドオーバ場面の判定に応じて、ハンドオーバパラメータの最適化を自動的に行ってもよい。
【００３２】
本発明に係る端末を識別するためのシステムは、ソース基地局と、１又は複数のターゲット基地局とを含む。
ソース基地局は、無線リソース制御再構成メッセージを受信した基地局であって、端末から無線リソース制御再構成メッセージを受信し、前記無線リソース制御再構成メッセージにおける、無線リンク障害が発生したセルの物理アドレスに応じて、無線リンク障害情報を送信する必要がある全てのターゲット基地局を判定し、各ターゲット基地局に、無線リンク障害が発生したセルの物理アドレス、無線リソース制御再構成を試みるセルのセルグローバル識別子、及び無線リンク障害が発生したセルの端末の無線ネットワーク一時識別子を含む前記無線リンク障害情報を送信する。
ターゲット基地局は、無線リンク障害が発生したセルが所属する基地局であって、前記無線リンク障害情報を受信し、無線リンク障害が発生した前記セルの物理アドレスに応じて、セルを判定し、判定された各セルにおいて、受信された、無線リンク障害が発生したセルの端末の無線ネットワーク一時識別子が当該セルにおける既存の無線ネットワーク一時識別子に属するかどうかを判定し、属する場合、当該端末が前記ターゲット基地局において無線リンク障害が発生したセルの端末であると判定し、属しない場合、当該セルの端末ではないと判定する。
【００３３】
本発明に係る端末を識別するためのシステムは、無線リンク障害が発生した後、セル選択プロセスによって選択されたソース基地局に、無線リンク障害が発生したセルの端末の無線ネットワーク一時識別子と、ショートMAC完全性保護と、無線リンク障害が発生したセルの物理アドレスとを含む無線リソース制御再構成メッセージを送信する端末を更に含んでいてもよい。
【００３４】
前記ターゲット基地局は、さらに、前記端末が当該ターゲット基地局において無線リンク障害が発生したセルに属する端末であると判定した後、当該端末の前回のハンドオーバ情報に応じて、前記ハンドオーバに対応するセル間のハンドオーバシチュエーションのタイプを判定し、そして判定結果を前回のハンドオーバに対応する基地局に通知し、判定結果の通知を受信した基地局が、対応するセル間のハンドオーバシチュエーション判定に応じて、ハンドオーバパラメータの最適化を自動的に行ってもよい。
【００３５】
本発明に係る端末を識別するためのもう１つの方法は、以下のステップを含む。
ステップ２１において、無線リソース制御再構成メッセージを受信したソース基地局は、前記無線リソース制御再構成メッセージにおける無線リンク障害が発生したセルの物理アドレスに応じて、無線リンク障害情報を送信する必要がある全てのターゲット基地局を判定し、判定された各ターゲット基地局に、無線リンク障害が発生したセルの物理アドレス、無線リソース制御再構成を試みるセルのセルグローバル識別子、無線リンク障害が発生したセルの端末の無線ネットワーク一時識別子、及びショートMAC完全性保護を含む前記無線リンク障害情報を送信する。
ステップ２２において、前記ターゲット基地局は、前記無線リンク障害情報を受信した後、前記無線リンク障害が発生したセルの物理アドレスに応じて、セルを判定し、判定された各セルにおいて、前記無線リンク障害が発生したセルの物理アドレス、無線リソース制御再構成を試みるセルのセルグローバル識別子、及び無線リンク障害が発生したセルの端末の無線ネットワーク一時識別子に応じて、ショートMAC完全性保護の計算値を計算して取得し、当該計算値が受信されたショートMAC完全性保護に一致する場合、当該端末が前記ターゲット基地局において無線リンク障害が発生した当該セルの端末であると判定し、一致しない場合、当該セルの端末ではないと判定する。
前記ソース基地局は、無線リソース制御再構成メッセージを受信した基地局であり、前記ターゲット基地局は、無線リンク障害が発生したセルが所属する基地局である。
【００３６】
ショートMAC完全性保護の計算値を計算して取得するステップの前に、本発明に係る方法は、判定された各セルにおいて、受信された、無線リンク障害が発生したセルの端末の無線ネットワーク一時識別子が当該セルにおける既存の無線ネットワーク一時識別子に属するかどうかを判定し、属する場合、前記ショートMAC完全性保護の計算値を計算して取得するステップを実行し、属しない場合、当該端末が当該セルの端末ではないと判定するステップを更に含んでいてもよい。
【００３７】
前記ステップ２１の前に、本発明に係る方法は、無線リンク障害が発生した端末が、セル選択プロセスによって選択されたソース基地局に、無線リンク障害が発生したセルの端末の無線ネットワーク一時識別子と、ショートMAC完全性保護と、無線リンク障害が発生したセルの物理アドレスとを含む無線リソース制御再構成メッセージを送信するステップを更に含んでいてもよい。
【００３８】
前記方法は、以下のステップを更に含んでいてもよい。
ステップ２３において、前記ターゲット基地局は、前記端末が当該ターゲット基地局において無線リンク障害が発生したセルに属する端末であると判定した後、当該端末の前回のハンドオーバ情報に応じて、前記ハンドオーバに対応するセル間のハンドオーバシチュエーションのタイプを判定し、そして判定結果を前回のハンドオーバに対応する基地局に通知する。
ステップ２４において、判定結果の通知を受信した基地局は、前回のハンドオーバに対応するセル間のハンドオーバシチュエーションの判定に応じて、ハンドオーバパラメータの最適化を自動的に行う。
【００３９】
ステップ２２において、前記ターゲット基地局は、セルにおける無線ネットワーク一時識別子に応じて、暗号鍵及び完全性保護アルゴリズムを決定し、前記無線リンク障害情報における無線リンク障害が発生したセルの物理アドレス、無線リソース制御再構成を試みるセルのセルグローバル識別子、及び無線リンク障害が発生したセルの端末の無線ネットワーク一時識別子を入力し、ショートMAC完全性保護の計算値を計算して取得してもよい。
【００４０】
本発明に係る端末の識別をサポートする基地局が提供される。前記基地局は、ソース基地局として、無線リソース制御再構成メッセージを受信し、前記無線リソース制御再構成メッセージにおける無線リンク障害が発生したセルの物理アドレスに応じて、無線リンク障害情報を送信する必要がある全てのターゲット基地局を判定し、判定された各ターゲット基地局に、無線リンク障害が発生したセルの物理アドレス、無線リソース制御再構成を試みるセルのセルグローバル識別子、無線リンク障害が発生したセルにける端末の無線ネットワーク一時識別子、及びショートMAC完全性保護を含む無線リンク障害情報を送信する。
前記基地局は、さらに、基地局に属するセルで無線リンク障害が発生した場合、ターゲット基地局として、無線リンク障害情報を受信し、無線リンク障害が発生したセルの物理アドレスに応じて、当該基地局において無線リンク障害が発生したセルを判定し、判定された各セルにおいて、無線リンク障害が発生した前記セルの物理アドレス、無線リソース制御再構成を試みるセルのセルグローバル識別子、及び無線リンク障害が発生したセルにおける端末の無線ネットワーク識別子に応じて、ショートMAC完全性保護の計算値を計算して取得し、取得された計算値が受信されたショートMAC完全性保護に一致する場合、前記端末が当該セルの端末であると判定し、一致しない場合、前記端末が当該セルの端末ではないと判定する。
【００４１】
本発明に係る基地局は、さらに、ターゲット基地局として、判定された各セルにおいて、受信された、無線リンク障害が発生したセルの端末の無線ネットワーク一時識別子が当該セルにおける既存の無線ネットワーク一時識別子に属するかどうかを判定し、属する場合、ショートMAC完全性保護の計算値を計算して取得し、属しない場合、前記端末が当該セルの端末ではないと判定してもよい。
【００４２】
本発明に係る基地局は、さらに、ターゲット基地局として、端末が当該ターゲット基地局において無線リンク障害が発生したセルに属する端末であると判定した後、当該端末の前回のハンドオーバ情報に応じて、前記前回のハンドオーバに対応するセル間のハンドオーバシチュエーションのタイプを判定し、且つ判定結果を前回のハンドオーバに対応する基地局に送信し、判定結果の通知を受信した基地局が、前記前回のハンドオーバに対応するセル間のハンドオーバシチュエーションの判定に応じて、ハンドオーバパラメータの最適化を自動的に行ってもよい。
【００４３】
本発明に係る端末を識別するためのシステムが更に提供される。前記システムは、ソース基地局と１又は複数のターゲット基地局とを含む。
前記ソース基地局は、無線リソース制御再構成メッセージを受信した基地局であって、端末から無線リソース制御再構成メッセージを受信し、前記無線リソース制御再構成メッセージにおける、無線リンク障害が発生したセルの物理アドレスに応じて、無線リンク障害情報を送信する必要がある全てのターゲット基地局を判定し、各ターゲット基地局に、無線リンク障害が発生したセルの物理アドレス、無線リソース制御再構成を試みるセルのセルグローバル識別子、無線リンク障害が発生したセルの端末の無線ネットワーク一時識別子、及びショートMAC完全性保護を含む無線リンク障害情報を送信する。
前記ターゲット基地局は、無線リンク障害が発生したセルが所属する基地局であって、前記無線リンク障害情報を受信し、前記無線リンク障害が発生したセルの物理アドレスに応じて、セルを判定し、判定されたセルにおいて、無線リンク障害が発生した前記セルの物理アドレス、無線リソース制御再構成を試みるセルのセルグローバル識別子、及び無線リンク障害が発生したセルの端末の無線ネットワーク一時識別子に応じて、ショートMAC完全性保護の計算値を計算して取得し、当該計算値が受信されたショートMAC完全性保護に一致する場合、当該端末が前記ターゲット基地局において当該無線リンク障害が発生したセルの端末であると判定し、一致しない場合、当該セルの端末ではないと判定する。
【００４４】
前記端末を識別するためのシステムは、無線リンクが障害した後、セル選択プロセスによって選択されたソース基地局に、無線リンク障害が発生したセルの端末の無線ネットワーク一時識別子と、ショートMAC完全性保護と、無線リンク障害が発生したセルの物理アドレスとを含む無線リソース制御再構成メッセージを送信する端末を更に含んでいてもよい。
【００４５】
前記ターゲット基地局は、さらに、判定された各セルにおいて、受信された、無線リンク障害が発生したセルの端末の無線ネットワーク一時識別子が当該セルにおける既存の無線ネットワーク一時識別子に属するかどうかを判定し、属する場合、ショートMAC完全性保護の計算値を計算して取得し、属しない場合、当該端末が当該セルの端末ではないと判定してもよい。
【００４６】
前記ターゲット基地局は、さらに、前記端末が当該ターゲット基地局において無線リンク障害が発生したセルに属する端末であることを判定した後、当該端末の前回のハンドオーバ情報に応じて、前記ハンドオーバに対応するセル間のハンドオーバシチュエーションのタイプを判定し、且つ判定結果を前回のハンドオーバに対応する基地局に通知し、判定結果の通知を受信した基地局が、前回のハンドオーバに対応するセル間のハンドオーバ場面の判定に応じて、ハンドオーバパラメータの最適化を自動的に行ってもよい。
【発明の効果】
【００４７】
本発明に係る端末を識別するための方法及びシステムでは、端末で無線リンク障害（RLF）が発生した後に端末からソース基地局に送信されるRRC再構成メッセージに、RLFが発生したセルにおけるUEのC-RNTIと、ショートMAC完全性保護（shortMAC-I）とが更に含まれる。ソース基地局は、前記C-RNTI 、shortMAC-I及びPCIを含むRLF情報をターゲット基地局に送信し、ターゲット基地局は、C-RNTI及びPCIに応じて、又はC-RNTI、shortMAC-I及びPCIに応じて、端末を識別する。本発明は端末を正確かつ一意に識別することができるため、RLFが発生したセルを正確かつ一意に特定することができる。これにより、eNB AがRLFを送信するときに、RLFが発生したエラーセルを特定し、エラーターゲット基地局を選択してRLF情報を送信してしまうといった問題を解決することができる。更に、端末が識別された後、ハンドオーバシチュエーションの判定方法に応じて、ハンドオーバシチュエーションが判定され、その後、ネットワーク自己最適化を行うことが対応する基地局に通知される。
【図面の簡単な説明】
【００４８】
【図１】セルCell bからCell aへのUEのハンドオーバが遅すぎる場合の、望ましくないハンドオーバを示す図である。
【図２】セルCell aからCell bへのUEのハンドオーバが早すぎる場合の、望ましくないハンドオーバを示す図である。
【図３】セルCell cからCell bへのUEのハンドオーバにおいてエラーセルを選択してしまった場合の、望ましくないハンドオーバを示す図である。
【図４】本発明において無線リンク障害（RLF）情報通知を送信するときの様子を示す図である。
【図５】本発明においてハンドオーバが早すぎることを示す情報を送信するときの様子を示す図である。
【図６】本発明においてエラーセルへのハンドオーバを示す情報を送信するときの様子を示す図である。
【発明を実施するための形態】
【００４９】
本発明の目的、技術的なスキーム及びメリットを更に明らかにするために、以下、図面を参照して本発明を更に詳細に説明する。
【００５０】
本発明は、ハンドオーバ最適化において端末を識別するための方法及びシステムを提供する。無線リンク障害（RLF）が端末に発生した後に端末からソース基地局に送信されるRRC再構成メッセージには、RLFが発生したセルにおけるUEのC-RNTI及びショートMAC完全性保護（shortMAC-I）が更に含まれる。ソース基地局は、前記C-RNTI 、shortMAC-I及びPCIを含むRLF情報をターゲット基地局に送信する。ターゲット基地局は、C-RNTI及びPCIに応じて、又はC-RNTI、shortMAC-I及びPCIに応じて、端末を識別する。本発明は、端末を一意に識別することができるため、RLFが発生したセルを一意に特定することができる。これにより、eNB AがRLF情報を送信するときに、RLFが発生したエラーセルを特定し、エラーターゲット基地局を選択してRLF情報を送信してしまうといった問題を解決することができる。更に、端末が識別された後、ハンドオーバシチュエーションの判定方法に応じて、ハンドオーバシチュエーションが判定され、その後、ネットワーク自己最適化を行うことが、対応する基地局に通知される。
【００５１】
上記目的を達成するため、本発明に係る端末を識別するための方法は、以下のステップを含む。
【００５２】
ステップ１１：無線リソース制御再構成メッセージを受信したソース基地局は、前記無線リソース制御再構成メッセージにおける、無線リンク障害が発生したセルの物理アドレス（PCI）に応じて、無線リンク障害情報を送信する必要がある全てのターゲット基地局を判定し、各ターゲット基地局に、無線リンク障害が発生したセルの物理アドレス（PCI）と、無線リソース制御再構成を試みるセルの物理アドレス（PCI）又はセルグローバル識別子（ECGI）と、無線リンク障害が発生したセルの端末の無線ネットワーク一時識別子（C-RNTI）とを含む前記無線リンク障害情報を送信する。
【００５３】
ステップ１２：前記ターゲット基地局は、前記無線リンク障害情報を受信した後、前記無線リンク障害が発生したセルの物理アドレス（PCI）に応じて、当該ターゲット基地局における無線リンク障害が発生したセルを判定し、判定された各セルにおいて、受信された、無線リンク障害が発生したセルの端末の無線ネットワーク一時識別子C-RNTIが当該セルにおける既存の無線ネットワーク一時識別子C-RNTIに属するかどうかを判定し、属する場合、当該端末が前記ターゲット基地局において当該無線リンク障害が発生したセルの端末であると判定し、属しない場合、当該セルの端末ではないと判定する。
【００５４】
ステップ１１の前に、前記端末は、無線リンク障害が発生した後、セル選択プロセスによって選択されたソース基地局に、無線リンク障害が発生したセルの端末の無線ネットワーク一時識別子C-RNTIと、ショートMAC完全性保護（shortMAC-I）と、無線リンク障害が発生したセルの物理アドレス（PCI）とを含む無線リソース制御再構成メッセージを送信する。
【００５５】
当該第１の方法は、PCI及びC-RNTIのみを介して、端末を識別する。LTEシステムにおいて、RRC再構成メッセージを受信したソース基地局は、無線リンク障害（RLF）情報を送信する場合、RLFが発生したセルのPCIに応じて、RLF情報を送信するターゲット基地局を判定する。ソース基地局は、PCI情報によって、複数のターゲット基地局がマッチングされた場合、無線リンク障害（RLF）情報をマッチングされた全てのターゲット基地局に送信する。ターゲット基地局へ送信される無線リンク障害（RLF）情報は、RLFが発生したセルの物理アドレス（PCI）と、RRC再構成を試みるセルのPCI又は発展型セルグローバル識別子（ECGI：Evolved Cell Global Identifier）と、RLFが発生したセルにおけるUEのC-RNTIとを含む。
【００５６】
ターゲット基地局は、RLF情報内の、RLFが発生したセルの物理アドレス（PCI）及びRLFが発生したセルにおけるUEのC-RNTIに応じて、端末を識別する。当該C-RNTI値が、セルCell bに存在している割り当てられたC-RNTI値である場合、端末がこの基地局に属するセルCell bの端末であることを意味し、一方で、当該C-RNTI値が、セルCell bに存在している割り当てられたC-RNTI値ではない場合、端末がセルCell bに属さないことを意味する。ターゲット基地局は、PCIに応じて複数のセルがマッチングされた場合、各セルにおいて、C-RNTIに応じて端末を識別する処理を行う。第１の識別方法は、基地局の計算の複雑さを低減しつつ、端末を識別することができ、比較的簡単な方法で端末を大まかに識別することができる。
【００５７】
端末を更に正確に識別するために、本発明は、端末を識別するためのもう１つの方法を提供する。当該方法は、以下のステップを含む。
【００５８】
ステップ２１：無線リソース制御再構成メッセージを受信した基地局は、前記無線リソース制御再構成メッセージにおける、無線リンク障害が発生したセルの物理アドレス（PCI）に応じて、無線リンク障害情報を送信する必要がある全てのターゲット基地局を判定し、判定された各ターゲット基地局に、無線リンク障害が発生したセルの物理アドレス（PCI）、無線リソース制御再構成を試みるセルのセルグローバル識別子（ECGI）、無線リンク障害が発生したセルの端末の無線ネットワーク一時識別子（C-RNTI）、及びショートMAC完全性保護（shortMAC-I）を含む前記無線リンク障害情報を送信する。
【００５９】
ステップ２２：前記ターゲット基地局は、前記無線リンク障害情報を受信した後、前記無線リンク障害が発生したセルの物理アドレス（PCI）に応じて、前記ターゲット基地局において無線リンク障害が発生したセルを判定し、判定された各セルにおいて、無線リンク障害が発生した前記セルの物理アドレス（PCI）、無線リソース制御再構成を試みるセルのセルグローバル識別子（ECGI）、及び無線リンク障害が発生したセルの端末の無線ネットワーク一時識別子（C-RNTI）に応じて、ショートMAC完全性保護（shortMAC-I）の計算値を計算して取得し、当該計算値が受信されたショートMAC完全性保護（shortMAC-I）に一致する場合、当該端末が前記ターゲット基地局において無線リンク障害が発生した当該セルの端末であると判定し、一致しない場合、当該セルの端末ではないと判定する。
【００６０】
ステップ２１の前に、前記端末は、無線リンク障害が発生した後、セル選択プロセスによって選択されたソース基地局に、無線リンク障害が発生したセルの端末の無線ネットワーク一時識別子（C-RNTI）、ショートMAC完全性保護（shortMAC-I）、及び無線リンク障害が発生したセルの物理アドレス（PCI）を含む無線リソース制御再構成メッセージを送信する。
【００６１】
LTEシステムにおいて、RRC再構成メッセージを受信した基地局は、無線リンク障害RLF情報を送信する場合、RLFが発生したセルのPCIに応じて、RLF情報を送信するターゲット基地局を判定する。ターゲット基地局へ送信される無線リンク障害（RLF）メッセージは、RLFが発生したセルの物理アドレス（PCI）、RRC再構成を試みるセルのグローバルセル識別子（ECGI：Evolved Cell Global Identifier）、RLFが発生したセルにおけるUEのC-RNTIを含み、ショートMAC完全性保護（shortMAC-I）を更に含む。
【００６２】
ターゲット基地局は、PCI、C-RNTI及びshortMAC-Iに応じて、一つの端末を一意に識別する。ソース基地局は、PCI情報によって、複数のターゲット基地局がマッチングされた場合、無線リンク障害（RLF）情報をマッチングされた全てのターゲット基地局に送信する。ターゲット基地局は、無線リンク障害（RLF）情報を受信した後、そのRLF情報中のC-RNTIに応じて、暗号鍵及び完全性保護アルゴリズムを判定し、RLF情報におけるPCI、ECGI及びC-RNTIを入力し、shortMAC-I計算値を計算して取得する。計算されて取得されたshortMAC-I計算値がRLF情報におけるshortMAC-Iの値と同じである場合、当該端末がターゲット基地局のターゲットセル内の端末であると判定し、これにより、RLFを発生した端末のセルを正確に判定することができる。同一ターゲット基地局は、PCIによって、複数のセルがマッチングされた場合、複数のセルにおいてshortMAC-Iの検証を行い、これにより、RLFが発生した端末のセルを判定する。
【００６３】
第２の方法によれば、基地局は、UEからRRC再構成メッセージを受信した後、RRC再構成メッセージにおけるshortMAC-Iに応じて、端末の識別を行い、これにより、RLFが発生したセルの混同を回避する。これにより、具体的なハンドオーバパラメータを最適化することができ、ネットワークリソースの浪費を減少し、ネットワークの性能を向上させ、これにより、ネットワークの自己最適化機能を実現する。
【００６４】
前記第１の方法及び第２の方法を利用して端末を識別した後、更に、当該UEの前回のハンドオーバ情報に応じて、ハンドオーバシチュエーションのタイプが判定される。即ち当該UEのハンドオーバが遅すぎるのか、あるいは、当該UEのハンドオーバが早すぎるのか、あるいは、UEのハンドオーバでエラーセルが選択されたのかが判定される。判定結果は、対応する基地局に通知される。対応する基地局は、対応するセル間のハンドオーバシチュエーションの判定に応じて、ハンドオーバパラメータの最適化を自動的に行う。これにより、ハンドオーバの性能を向上させる。
【００６５】
上述の端末識別方法に基づき、本発明は、端末を識別するシステムを更に提供する。前記システムは、端末と、ソース基地局と１又は複数のターゲット基地局とを含む。
【００６６】
端末は、無線リンク障害が発生した後、セル選択プロセスによって選択されたソース基地局に、無線リンク障害が発生したセルの端末の無線ネットワーク一時識別子（C-RNTI）と、ショートMAC完全性保護（shortMAC-I）と、無線リンク障害が発生したセルの物理アドレス（PCI）とを含む無線リソース制御再構成メッセージを送信する。
【００６７】
ソース基地局は、無線リソース制御再構成メッセージを受信した基地局であり、無線リソース制御再構成メッセージを受信した後、前記無線リソース制御再構成メッセージにおける、無線リンク障害が発生したセルの物理アドレスに応じて、無線リンク障害情報を送信する必要がある全てのターゲット基地局を判定し、判定された各ターゲット基地局に、無線リンク障害が発生したセルの物理アドレス（PCI）と、無線リソース制御再構成を試みるセルの物理アドレス（PCI）又はセルグローバル識別子（ECGI）と、無線リンク障害が発生したセルの端末の無線ネットワーク一時識別子（C-RNTI）とを含む前記無線リンク障害情報を送信する。
【００６８】
ターゲット基地局は、無線リンク障害が発生したセルが属する基地局であり、前記無線リンク障害情報を受信し、無線リンク障害が発生した前記セルの物理アドレス（PCI）に応じて、無線リンク障害が発生したセルを判定し、判定された各セルにおいて、受信された、無線リンク障害が発生したセルの端末の無線ネットワーク一時識別子（C-RNTI）が当該セルにおける既存の無線ネットワーク一時識別子（C-RNTI）に属するかどうかを判定し、属する場合、当該端末が前記ターゲット基地局において無線リンク障害が発生した当該セルの端末であると判定し、属しない場合、当該セルの端末ではないと判定する。
【００６９】
端末を更に正確に識別するために、本発明は、端末を識別するためのシステムを更に提供する。前記システムは、端末と、ソース基地局と１又は複数のターゲット基地局とを含む。
【００７０】
端末は、無線リンク障害が発生した後、セル選択プロセスによって選択されたソース基地局に、無線リンク障害が発生したセルの端末の無線ネットワーク一時識別子（C-RNTI）と、ショートMAC完全性保護（shortMAC-I）と、無線リンク障害が発生したセルの物理アドレス（PCI）とを含む無線リソース制御再構成メッセージを送信する。
【００７１】
ソース基地局は、無線リソース制御再構成メッセージを受信した基地局であり、無線リソース制御再構成メッセージを受信し、前記無線リソース制御再構成メッセージにおける、無線リンク障害が発生したセルの物理アドレス（PCI）に応じて、無線リンク障害情報を送信する必要がある全てのターゲット基地局を判定し、判定された各ターゲット基地局に、無線リンク障害が発生したセルの物理アドレス（PCI）、無線リソース制御再構成を試みるセルのセルグローバル識別子（ECGI）、無線リンク障害が発生したセルの端末の無線ネットワーク一時識別子（C-RNTI）、及びショートMAC完全性保護（shortMAC-I）を含む無線リンク障害情報を送信する。
【００７２】
ターゲット基地局は、無線リンク障害が発生したセルが属する基地局であり、無線リンク障害情報を受信した後、前記無線リンク障害が発生したセルの物理アドレスPCIに応じて判定されたセルにおいて、前記無線リンク障害が発生したセルの物理アドレス（PCI）、無線リソース制御再構成を試みるセルのセルグローバル識別子（ECGI）、及び無線リンク障害が発生したセルの端末の無線ネットワーク一時識別子（C-RNTI）に応じて、ショートMAC完全性保護（shortMAC-I）を計算して取得し、当該計算値が受信されたショートMAC完全性保護（shortMAC-I）に一致する場合、当該端末が前記ターゲット基地局において当該無線リンク障害が発生したセルの端末であると判定し、一致しない場合、当該セルの端末ではないと判定する。
【００７３】
上記端末を識別する方法及びシステムによれば、基地局は、RLFが発生した端末を識別することができ、更にRLFが発生したセルを一意に特定することができる。RLF関連情報に応じて、ターゲット基地局は、ハンドオーバシチュエーションのタイプを判定することができる。これにより、ネットワークは、具体的なハンドオーバパラメータの最適化を実現することができ、ネットワークの自己最適化機能を実現し、ネットワーク性能を向上させる。以下、４つの具体的な実施例を参照して本発明における端末を識別する過程を更に詳細に説明する。
【００７４】
実施例１：  ハンドオーバが遅すぎる場合の端末の識別
【００７５】
図１と図４を参照して、実施例１の具体的な説明は、以下の通りである。
【００７６】
１０１：  UEが基地局Bに属するセルCell bにおいて接続状態にあるときに、RRC再割り当て障害、ハンドオーバ障害又は他の原因のために、セルCell bにおいて無線リンク障害（RLF）がUEに発生する。
【００７７】
１０２：  図１に示すように、UEは、セルCell bで無線リンク障害（RLF）が発生した後、セル選択プロセスによって、基地局Aに属するセルCell aにおいてRRC再構成を行うことを選択し、UEはRRC再構成要求メッセージを基地局Aに送信する。
【００７８】
１０３：  基地局Aは、UEからのRRC再構成要求メッセージを受信した後、そのメッセージ内の、無線リンク障害（RLF）が発生したセルCell bのPCI情報に応じて、RLF情報を送信するターゲット基地局eNB Bを検索し、そしてRLF情報をターゲット基地局eNB Bに送信する。図４に示すように、eNB Aがターゲット基地局eNB Bに送信するRLF情報には、RLFが発生したセルCell bの既存の物理アドレス（PCI）情報、RRC再構成を試みるセルのセルグローバル識別子（ECGI：Evolved Cell Global Identifier）情報、及びRLFが発生したセルCell bにおけるUEの（C-RNTI）情報に加えて、UEのRRC再構成要求メッセージのshortMAC-I情報が更に含まれる。eNB Aが、RLFが発生したセルCell bのPCI情報に応じて複数のターゲット基地局を検索した場合、eNB Aは、全てのターゲット基地局に前記RLF情報を送信する。例えばeNB Hもターゲット基地局である。
【００７９】
１０４：  このRLFが発生したUEがeNB Bに属するセルCell b内のUEであるかどうかを確認するために、eNB Bは、eNB AからのRLF情報を受信し、端末の識別を行う。識別においては、eNB Bは、受信されたRLF情報内のPCI情報に応じて、セルCell bを判定し、更にC-RNTI及びshortMAC-Iに応じて、端末を識別する。
【００８０】
セルCell bにおいて、割り当てられたC-RNTI値が既に存在する場合、shortMAC-Iの検証を行う。セルにおいて、それに対応する割り当てられたC-RNTI値が存在しない場合、端末がeNB Bに属するセルCell bの端末ではないことを意味する。各セルには一定数のC-RNTIが存在し、接続状態のUEのそれぞれに１つのC-RNTIが割り当てられる。UEの無線リンク制御（RRC）が解除された後、そのC-RNTIは回収される。eNB Bは、C-RNTIに応じて、暗号鍵（key）及び完全性保護アルゴリズムを判定し、RLF情報におけるPCI、ECGI及びC-RNTIを入力し、計算を行なってshortMAC-Iを取得する。計算により取得されたshortMAC-IがRLF情報におけるshortMAC-Iの値と同じである場合、当該端末がeNB Bに属するセルCell bの端末であると判定される。eNB Bが受信されたRLF情報のPCI情報に応じて、複数のセルを特定した場合、各セルにおいて端末の識別を行う。
【００８１】
基地局eNB bに加えて、基地局eNB HもeNB AからのRLF情報を受信する場合、eNB Hは、eNB Bでの識別方式と同様に、C-RNTI及びshortMAC-Iに応じて、端末の識別を行う。
【００８２】
１０５：  eNB Bは、C-RNTI及びshortMAC-Iに応じて、当該端末がeNB Bに属するセルCell bの端末であると判定する。これは、当該端末がeNB BのセルCell bで無線リンク障害RLFが発生し、且つeNB Aに属するセルCell aにおいてRRC再構成を行うことが選択されたことを意味する。当該端末が他のセルからCell bへハンドオーバした直後ではない場合、セルCell bからセルCell aへのUEのハンドオーバが遅すぎることを意味する。
【００８３】
１０６：  eNB Bは、セルCell bからセルCell aへの遅すぎるハンドオーバのシチュエーションに応じて、対応するハンドオーバパラメータを最適化してネットワーク性能を向上させる。
【００８４】
実施例２：  ハンドオーバが早すぎる場合の端末の識別
【００８５】
図２、図４及び図５を参照して、実施例２の具体的な説明は、以下の通りである。
【００８６】
２０１：  UEがeNB Aに属するセルCell aからeNB Bに属するセルCell bにハンドオーバした直後である場合に、RRC再割り当て障害、ハンドオーバ障害又は他の原因により、セルCell bにおいて無線リンク障害RLFがUEに発生する。
【００８７】
ここで、UEがセルCell bへのハンドオーバに成功した後、eNB Bは、当該UEのコンテキスト（context）に対してタイマーを設定して、早すぎであるハンドオーバと、エラーセルとの判定を行う。eNB Bは、タイマーによって設定される期間内のUEのコンテキスト（context）を保持する。以下のステップ２０５及びステップ３０５において、端末のマッチングが行われた後、このcontextに対応するタイマーがタイムアウトしていない場合、UEがCell Bにハンドオーバしてからそれほど時間が経過していないことを意味する。
【００８８】
２０２：  図２に示すように、UEは、セルCell bで無線リンク障害（RLF）が発生した後、セル選択プロセスによって、eNB Aに属するセルCell aにおいて無線リソース制御（RRC）再構成を行うことを選択し、UEは、RRC再構成要求メッセージをeNB Aに送信する。
【００８９】
２０３：  eNB Aは、UEのRRC再構成要求メッセージを受信した後、RLFが発生したセルCell bのPCI情報に応じて、RLF情報を送信する必要があるターゲット基地局eNB Bを検索し、且つRLF情報をターゲット基地局eNB Bに送信する。図４に示すように、eNB Aがターゲット基地局eNB Bに送信するRLF情報には、RLFが発生したセルCell bの、既存の物理アドレスPCI情報、RRC再構成を試みるセルのセルグローバル識別子（ECGI：Evolved Cell Global Identifier）情報、RLFが発生したセルCell bにおけるUEのC-RNTI情報だけでなく、UEのRRC再構成要求メッセージのshortMAC-I情報が更に含まれる。eNB Aが、RLFが発生したセルCell bのPCI情報に応じて、複数のターゲット基地局を検索した場合、eNB Aは、全てのターゲット基地局にRLF情報を送信する。例えばeNB Hもターゲット基地局である。
【００９０】
２０４：  eNB Bは、このRLFが発生したUEがeNB Bに属するセルCell b中のUEであるかどうかを確認するために、eNB AからのRLF情報を受信して、端末の識別を行う。eNB Bは、受信されたRLF情報のPCI情報に応じて、セルCell bを判定し、更にC-RNTI及びshortMAC-Iに応じて、端末を識別する。セルCell bにおいて割り当てられたC-RNTI値が既に存在する場合、eNB Bは、更にshortMAC-Iの検証を行う。検証ができた場合、当該端末UEがeNB Bに属するセルCell bの端末であることを意味し、検証ができなかった場合、端末がeNB Bに属するセルCell bの端末ではないことを意味する。eNB Bは、C-RNTIに応じて、暗号鍵（key）及び完全性保護アルゴリズムを判定し、RLF情報におけるPCI、ECGI及びC-RNTIを入力し、計算を行なってshortMAC-Iを取得する。計算によって取得されたshortMAC-IがRLF情報におけるshortMAC-Iの値と同じである場合、当該端末が、eNB Bに属するセルCell bの端末であると判定される。eNB Bは、受信されたRLF情報のPCI情報に応じて、複数のセルを判定した場合、各セルにおいて端末の識別を行う。
【００９１】
基地局eNB bに加えて、基地局eNB HもeNB AからのRLF情報を受信する場合、eNB Hは、eNB Bでの識別方式と同様に、C-RNTI及びshortMAC-Iに応じて、端末の識別を行う。
【００９２】
２０５：  eNB Bは、C-RNTI及びshortMAC-Iに応じて、当該端末がeNB Bに属するセルCell bの端末であると判定する。これは、当該端末がeNB BのセルCell bで無線リンク障害RLFを発生し、且つeNB Aに属するセルCell aにおいてRRC再構成を行うことが選択されたことを意味する。当該端末のcontextタイマーがタイムアウトしていない場合、セルCell aからセルCell bへのUEのハンドオーバが早すぎることを意味する。
【００９３】
２０６：  図５に示すように、eNB Bは、ハンドオーバが早すぎることを示す情報をeNB Aに送信して、セルCell aからセルCell bへの早すぎるハンドオーバが発生したことを示す。
【００９４】
２０７：eNB Aは、セルCell aからセルCell bへの早すぎるハンドオーバのシチュエーションに応じて、対応するハンドオーバパラメータを最適化し、これにより、ネットワーク性能を向上させる。
【００９５】
実施例３：  ハンドオーバにおいてエラーセルが選択された場合の端末の識別
【００９６】
図３、図４及び図６を参照して、具体的な実施例３の説明は、以下の通りである。
【００９７】
３０１：UEが、eNB Cに属するセルCell cからeNB Bに属するセルCell bにハンドオーバした直後である場合に、RRC再割り当て障害、ハンドオーバ障害又は他の原因により、セルCell bで無線リンク障害RLFがUEに発生する。
【００９８】
ここで、UEがセルCell bへのハンドオーバに成功した後、eNB Bは、当該UEのコンテキストcontextに対してタイマーを設定する。
【００９９】
３０２：  図３に示すように、セルCell bで無線リンク障害（RLF）が発生した後、UEは、セル選択プロセスを介して、eNB Aに属するセルCell aにおいて、無線リソース制御（RRC）再構成を行うことを選択する。そして、UEはRRC再構成要求メッセージをeNB Aに送信する。
【０１００】
３０３：  eNB A は、UEからのRRC再構成要求メッセージを受信した後、そのメッセージ内の、RLFが発生したセルCell bのPCI情報に応じて、RLF情報を送信するターゲット基地局eNB Bを検索する。そして、RLF情報をターゲット基地局eNB Bに送信する。図４に示すように、eNB Aがターゲット基地局eNB Bに送信したRLF情報には、RLFが発生したセルCell bの、既存の物理アドレスPCI情報、RRC再構成を試みるセルのセルグローバル識別子（ECGI：Evolved Cell Global Identifier）情報、RLFが発生したセルCell bにおけるUEのC-RNTI情報だけではなく、UEのRRC再構成要求メッセージのshortMAC-I情報が更に含まれる。eNB Aが、RLFの発生したセルCell bのPCI情報に応じて、複数のターゲット基地局を検索した場合、eNB Aは、全てのターゲット基地局にRLF情報を送信する。例えばeNB Hもターゲット基地局である。
【０１０１】
３０４：  eNB Bは、RLFが発生したUEがeNB Bに属するセルCell b中のUEであるかどうかを確認するために、eNB AからのRLF情報を受信し、端末の識別を行う。eNB Bは、受信されたRLF情報のPCI情報に応じて、セルCell bを判定し、更にC-RNTI及びshortMAC-Iに応じて、端末を識別する。セルCell bにおいて割り当てられたC-RNTI値が既に存在する場合、更にshortMAC-Iの検証を行う。存在しない場合、端末がeNB Bに属するセルCell bの端末ではないことを意味する。eNB Bは、C-RNTIに応じて、暗号鍵（key）及び完全性保護アルゴリズムを判定し、RLF情報におけるPCI、ECGI及びC-RNTIを入力し、計算によりshortMAC-Iを取得する。計算により取得されたshortMAC-IがRLF情報におけるshortMAC-Iの値と同じである場合、当該端末がeNB Bに属するセルCell bの端末であると判定される。eNB Bは、受信されたRLF情報のPCI情報に応じて、複数のセルを判定した場合、各セルにおいて、端末の識別を行う。
【０１０２】
基地局eNB bに加えて、基地局eNB HもeNB AからのRLF情報を受信する場合、eNB Hは、eNB Bでの識別方式と同様に、C-RNTI及びshortMAC-Iに応じて、端末の識別を行う。
【０１０３】
３０５：  eNB Bは、C-RNTI及びshortMAC-Iに応じて、当該端末がeNB Bに属するセルCell bの端末であると判定する。これは、当該端末がeNB BのセルCell bで無線リンク障害RLFが発生し、且つeNB Aに属するセルCell aにおいてRRC再構成を行うことが選択されたことを意味する。当該端末のcontextタイマーがタイムアウトしていない場合、セルCell cからセルCell bへのUEのハンドオーバにおいてエラーセルが選択されたこと、及び正確なターゲットセルが、eNB AのセルCell aであることを意味する。
【０１０４】
３０６：  図６に示すように、eNB Bは、エラーセルへのハンドオーバを示す情報をeNB Cに送信し、セルCell cからセルCell bへのエラーセルを選択したハンドオーバが発生したことを示す。
【０１０５】
３０７：  eNB Cは、セルCell cからセルCell bへのハンドオーバにおいてエラーセルが選択されたシチュエーションに応じて、対応するハンドオーバパラメータを最適化し、これによりネットワーク性能を向上させる。
【０１０６】
実施例４：  PCI及びC-RNTIに応じて端末の識別を行う。
【０１０７】
４０１：  UEがeNB Bに属するセルCell bにおいて接続状態にあるときに、RRC再割り当て障害、ハンドオーバ障害又は他の原因のために、セルCell bで無線リンク障害RLFがUEに発生する。
【０１０８】
４０２：  UEは、セルCell bで無線リンク障害（RLF）が発生した後、セル選択プロセスによって、eNB Aに属するセルCell aにおいて無線リソース制御（RRC）再構成を行うことを選択し、UEはRRC再構成要求メッセージをeNB Aに送信する。
【０１０９】
４０３：  eNB A は、UEからのRRC再構成要求メッセージを受信した後、そのメッセージ内の、RLFが発生したセルCell bのPCI情報に応じて、RLF情報を送信するターゲット基地局eNB Bを検索し、且つRLF情報をターゲット基地局eNB Bに送信する。図４に示すように、eNB Aが、RLFが発生したセルCell bのPCI情報に応じて、複数のターゲット基地局を検索した場合、eNB Aは、全てのターゲット基地局にRLF情報を送信する。例えばeNB Hについてもターゲット基地局である場合、eNB Aは、eNB HについてもRLF情報を送信する。RLF情報は、RLFが発生したセルの物理アドレス（PCI）と、RRC再構成を試みるセルのPCI又は発展型セルグローバル識別子（ECGI：Evolved Cell Global Identifier）と、RLFが発生したセルにおけるUEのC-RNTIとを含む。
【０１１０】
４０４：  eNB Bは、このRLFが発生したUEがeNB Bに属するセルCell b中のUEであるかどうかを確認するために、eNB AからのRLF情報を受信し、端末の識別を行う。eNB Bは、受信されたRLF情報のPCI情報に応じて、セルCell bを判定し、更にC-RNTI及びshortMAC-Iに応じて、端末を識別する。当該C-RNTI値が、セルCell bに既に存在している割り当てられたC-RNTI値である場合、端末がeNB Bに属するセルCell bの端末であることを意味する。一方で、当該C-RNTI値が、セルCell bに存在している割り当てられたC-RNTI値ではない場合、端末がセルCell bに属さないことを意味する。eNB Hも同じ端末識別を行う。
【０１１１】
４０５：  eNB Bは、eNB AからのRLF情報を受信した後、端末識別を行って当該端末がeNB Bに属するセルCell bの端末であると判定した場合、当該端末（UE）がeNB BのCell bでRLFが発生したと認識することができる。その後、eNB A中のセルCell aにおいてRRC再構成が試される。更に、当該UEの前回のハンドオーバ情報に応じて、ハンドオーバシチュエーションのタイプが判定される。即ち、Cell bからCell aへの当該UEのハンドオーバが遅すぎるのか、あるいは、Cell aからCell bへの当該UEのハンドオーバが早すぎるか、あるいは、他のセルからCell bへのUEのハンドオーバにおいてエラーセルが選択されたのかが判定される。例えばeNB CのCell cからCell bへのハンドオーバにおいてエラーセルが選択されたと判定される。そして、図５及び図６に示すように、判定結果が対応する基地局に通知される。例えば、ハンドオーバが遅すぎることが、基地局Bに通知され、ハンドオーバが早すぎることが、基地局Aに通知され、ハンドオーバにおいてエラーセルが選択されたことが、基地局Cに通知される。
【０１１２】
４０６：通知を受信したeNB A、eNB B及び／又はeNB Cは、対応するセル間のハンドオーバシチュエーションに応じて、ハンドオーバパラメータの最適化を自動的に行って、ネットワーク性能を向上させる。
【０１１３】
以上の説明は、本発明の好適な実施形態に過ぎず、本発明を限定するものではない。当業者にとっては、本発明に基づく種々の変更と変形が可能である。本発明の趣旨及び範囲を逸脱することなく実施されたあらゆる修正、同等の置換及び改良等は、すべて本発明の保護範囲に属する。
【０１１４】
産業上の利用可能性
従来技術に比べ、本発明は、端末を正確、かつ一意に識別することができため、RLRが発生したセルを一意に特定することができ、これにより、eNB AがRLF情報を送信するときに、RLFが発生したエラーセルを特定し、エラーターゲット基地局を選択してRLF情報を送信してしまうといった問題を解決することができる。更に、端末が識別された後、ハンドオーバシチュエーションの判定方法に応じて、ハンドオーバシチュエーションが判定され、その後、ネットワーク自己最適化を行うことが対応する基地局に通知される。
【図１】
2013504902.tif 000003
【図２】
2013504902.tif 000004
【図３】
2013504902.tif 000005
【図４】
2013504902.tif 000006
【図５】
2013504902.tif 000007
【図６】
2013504902.tif 000008
【国際調査報告】
2013504902.tif 000009
2013504902.tif 000010
2013504902.tif 000011
2013504902.tif 000012
2013504902.tif 000013
2013504902.tif 000014